(57)【要約】      （修正有）【課題】上向きの開き口を開けずに物品を出入れしたり内部を確かめたりすることのできる対策を講じた和装バッグを提供する。【解決手段】側面視形状が略対称な前後一対のバッグ要素１０，５０を連結することによって開閉可能な上向きの開き口３を有する中空のバッグ本体１を形作る。開き口３を閉じ合わせるフックや手提げ用の把手６ａ，６ｂを備えている。一方側バッグ要素１０に開口２１を形成すると共に、その開口２１を開閉するカバー７を追加する。カバー７の根元を、開き口３の口縁部において一方側バッグ要素１０に取り付けておく。一方側バッグ要素１０に仕切りを設けることも可能である。【選択図】図２
0003110105.tif 000002
【実用新案登録請求の範囲】
【請求項１】
側面視形状が略対称に形成されている前後一対のバッグ要素を連結することによって開閉可能な上向きの開き口を有する中空のバッグ本体が形作られ、上記開き口の閉じ合わせ状態を保持するためのフックと手提げ用の把手とを備える和装バッグにおいて、
一方側のバッグ要素を形成している素材の正面部位の上部を欠除することによって上記バッグ本体の内部に手を出入れすることの可能な開口を形成すると共に、その開口を開閉するカバーを追加し、かつ、そのカバーが上記開き口の口縁部において一方側の上記バッグ要素に連結されていることを特徴とする和装バッグ。
【請求項２】
上記バッグ要素はその素材の正面部位の上部が湾曲形状の肩部として形成されていて、上記開口が一方側のバッグ要素の肩部を欠除することにより形成されていると共に、上記カバーが、他方側のバッグ要素の肩部と略対称な湾曲形状を有する請求項１に記載した和装バッグ。
【請求項３】
上記バッグ本体の内部が、一方側のバッグ要素に設けられた仕切りによって、上記開き口に通じる主室と、上記開口に通じる補助室とに区画されている請求項１又は請求項２に記載した和装バッグ。
【考案の詳細な説明】
【技術分野】
【０００１】
本考案は、和装バッグ、特に、内部に入っている物品を他人に見られずに出し入れしたり確かめたりすることのできる対策を講じた和装バッグに関する。
【背景技術】
【０００２】
一般的な和装バッグは、素材に保形性を持たせて作られた中空のバッグ本体に上向きの開き口を形成してある、という基本構成を備えている。そして、バッグ本体は、側面視形状が略対称な前後一対のバッグ要素同士を左右両側部でヒンジ結合することによって形成されていて、それら前後のバッグ要素を、ヒンジ結合箇所を中心に前後に開閉動させることによって上記開き口が開閉されるようになっている。また、和装バッグでは、上記開き口の閉じ合わせ状態を保持するためのフックと、手提げ用の把手とを備えている。
【０００３】
ところで、和装バッグは、女性が手帳や身の回り品などの物品を入れて持ち運ぶことに用いられ、上記した上向きの開き口を開いてそこから物品を取り出したり入れたりしている。
【考案の開示】
【考案が解決しようとする課題】
【０００４】
しかしながら、和装バッグでは、その開き口の開き方が通常の鞄などに見られる開き口とは相違している。すなわち、上記したようにヒンジ結合された前後一対のバッグ要素を前後に開閉動させることによって上向きの開き口が開閉されるものであるので、所持者が和装バッグの開き口を開いたときにその周囲の人から内部を見られやすいという状況が生まれ、そのような状況が生まれることは所持者にとって好ましいことではない。
【０００５】
本考案は以上の事情に鑑みてなされたもので、上向きの開き口を開けずに物品を出入れしたり内部を確かめたりすることのできる対策を講じた和装バッグを提供することを目的とする。
【課題を解決するための手段】
【０００６】
本考案に係る和装バッグは、側面視形状が略対称に形成されている前後一対のバッグ要素を連結することによって開閉可能な上向きの開き口を有する中空のバッグ本体が形作られ、上記開き口の閉じ合わせ状態を保持するためのフックと手提げ用の把手とを備える和装バッグにおいて、一方側のバッグ要素を形成している素材の正面部位の上部を欠除することによって上記バッグ本体の内部に手を出入れすることの可能な開口を形成すると共に、その開口を開閉するカバーを追加し、かつ、そのカバーが上記開き口の口縁部において一方側の上記バッグ要素に連結されている、というものである。
【０００７】
この構成を備える和装バッグによれば、上向きの開き口を開けて従来通りに物品を出し入れすることができることは勿論、開き口を閉じたまま、カバーを開いて物品を出し入れすることも可能になる。そして、そのカバーが開き口の口縁部において一方側のバッグ要素に連結されていることにより、カバーを開いたときには開口がカバーによって上方から覆われた状態になり、周囲の人から内部を見られにくくなる。その上、カバーは、把手に腕を通している場合のように開き口を開くことができないときにも自由に開閉することが可能であるので、当該和装バッグを持ち歩いているときであっても自由にカバーを開いて物品を出し入れすることができるという卓越した作用が奏される。
【０００８】
本考案において、上記バッグ要素はその素材の正面部位の上部が湾曲形状の肩部として形成されていて、上記開口が一方側のバッグ要素の肩部を欠除することにより形成されていると共に、上記カバーが、他方側のバッグ要素の肩部と略対称な湾曲形状を有する、という構成を採用することが可能である。これによれば、一方側の肩部にカバーが追加されているにもかかわらず、側面視形状が略対称になって和装バッグに要求される側面視形状の対称性が確保される。
【０００９】
本考案では、上記バッグ本体の内部が、一方側のバッグ要素に設けられた仕切りによって、上記開き口に通じる主室と、上記開口に通じる補助室とに区画されている、という構成を採用することが可能である。これによれば、仕切りによって仕切られた主室には開き口を開けて物品を出し入れし、補助室には、カバーを開けて物品を出し入れするというような使い分けが可能になる。そのため、たとえば携帯電話機のように出し入れに迅速性が要求されるような物品を補助室に入れておけば、いちいち開き口を開かなくても、カバーを開けてその物品を迅速に出し入れすることができるようになるという利便がある。
【考案の効果】
【００１０】
本考案に係る和装バッグは、上向きの開き口を開けて従来のものと同様に物品の出し入れなどを行うことができることは勿論、開き口を閉じたまま、カバーを開いて物品を出し入れすることも可能になる。そして、カバーを開いて物品を出し入れするときには、そのカバーによってバッグ本体の内部が見えないように覆われた状態になって、周囲の人から内部を見られるという状況が起こりにくくなることに加え、バッグ本体の内部を仕切りで仕切って開き口に通じる主室と開口に通じる補助室とに区画しておくことも可能であるので、所有者にとって使い勝手のよい和装バッグを提供することが可能になる。また、把手に腕を通して当該和装バッグを持ち歩いているようなときでも、カバーを開けて物品を出し入れすることができるという卓効がある。その上、カバーに、他方側のバッグ要素の肩部と略対称な湾曲形状を付与しておくことによって、和装バッグに要求される側面視形状の対称性が保たれて、和装品に特有のデザイン面での違和感も生じないという効果が奏される。
【考案を実施するための最良の形態】
【００１１】
図１は本考案の実施形態に係る和装バッグの概略斜視図、図２は和装バッグのカバー７を開いた状態の概略斜視図、図３は和装バッグの開き口３を開いた状態の概略斜視図、図４は仕切り８を有する和装バッグのカバー７を開いた状態の概略斜視図、図５は仕切り８の取付構造を例示した断面図である。
【００１２】
図１のように、この和装バッグは、湾曲形状の肩部１１，５１と、その肩部１１，５１に連続する胴部１２，５２と、底部１３，５３とを形作っている側面視形状が略対称な前後一対のバッグ要素１０，５０を合わせることによって形成された中空バッグ本体１を有していて、前後のバッグ要素１０，５０の合わせ目の左右両側下部がヒンジ２によって連結されている。そして、前後のバッグ要素１０，５０によって開閉可能な上向きの開き口３が形成されている。また、図３に示したように、突起５ａとその突起５ａに係脱される係合体５ｂとでなるフック５（図３参照）の上記突起５ａが一方側バッグ要素１０に具備され、上記係合体５ｂが他方側バッグ要素５０に具備されていて、図１のように前後のバッグ要素１０，５０を合わせて開き口３を閉じ合わせたときに、そのフック５によって開き口３の閉じ合わせ状態が保持されるようになっている。さらに、一方側バッグ要素１０及び他方側バッグ要素５０のそれぞれに手提げ用の把手６ａ，６ｂが備わっている。
【００１３】
以上説明した構成は、従来より一般的に知られている和装バッグの構成と同様であって、フック５を外して両方のバッグ要素１０，５０を離れる方向に開動させると、図３のように開き口３が上向きに開いてバッグ本体１の内部に手帳や身回り品などの小物類といった物品を出し入れすることができる。
【００１４】
この実施形態では、図２のように、一方側のバッグ要素１０を形成している素材の正面部位の上部に相当する上記肩部１１を欠除することにより開口２１が形成されていて、この開口２１の正面側の口縁の輪郭線イを、当該和装バッグの全体デザインに合わせて違和感を生じないように曲線化して装飾してあると共に、その開口２１の大きさを、バッグ本体１の内部に手を出入れすることの可能な大きさに形成してある。また、一方側バッグ要素１０にはカバー７を追加して設けてある。このカバー７は、その根元が、上記開き口３の口縁部において一方側バッグ要素１０に連結されている。図１で判るように、このカバー７は、他方側のバッグ要素５０の肩部５１と略対称な湾曲形状を有していて、同図のようにカバー７を閉じて開口２１を塞いだ状態では、当該和装バッグが略左右対称な形状に形作られるようになっている。そのため、この和装バッグは、和装バッグに一般的に要求される側面視形状の対称性を損なうことなく、カバー７によって開閉される開口２１を備えているものであると云える。なお、一方側バッグ要素１０には、カバー７を閉じたときにそのカバー７を開かないように保持するマグネットタイプのフック７１が備わっている。
【００１５】
この和装バッグにおいて、前後のバッグ要素１０，５０をヒンジ２を中心に開動させると、図３のように開き口３が上向きに開くので、その開き口３から物品を出し入れすることが可能になる。しかし、開き口３は上向きに開くために、周囲の人から容易に内部が見えることになる。そこで、周囲の人から内部を見られたくないときには、図２のように、開き口３を閉じたままカバー７を上向きに開くとよい。このようにすると、一方側バッグ要素１０に備わっている開口２１が開放されてその開口２１から物品を出入れなどを行うことができるにもかかわらず、カバー７が開口２１を上方から覆った状態になるために、周囲の人から内部が見えにくくなる。また、手提げ用の把手６ａ，６ｂに腕を通したり、その把手６ａ，６ｂを手で掴んでいる状態でも、開き口３を閉じたままでカバー７を開くことが可能であるので、そうすることによって、わざわざ腕を把手６ａ，６ｂから抜き出したりしなくても物品を出し入れすることが可能になるという利点がある。そのため、たとえば、把手６ａ，６ｂに腕を通して歩いているときに和装バッグに入れた携帯電話の着信音が鳴ったようなときに、即座にカバー７を開いてその携帯電話を取り出すことができるので便利である。
【００１６】
以上説明した実施形態の和装バッグは、バッグ本体１の内部が単一の物品収納室を形成しているけれども、そのバッグ本体１の内部に仕切りを設けると、物品収納室が複数区画されて個々の区画に物品を分けて収納することが可能になる。その場合に、図４のように、仕切り８を一方側のバッグ要素１０側に設けることも可能であり、そのようにすると、バッグ本体１の内部が、仕切り８によって、開き口３に通じる主室と開口２１に通じる補助室Ｓとに区画されるようになる。こうしておくと、補助室Ｓにたとえば携帯電話のように出し入れに迅速性が要求される物品を入れて、その物品に要求される出し入れの迅速性を確保することが容易に可能になる。
【００１７】
図４を参照して説明したように、仕切り８を一方側のバッグ要素１０側に設けるときには、たとえば、図５に例示したように、一方側バッグ要素１０に備わっているコ字形断面の縁枠３１に、カバー７の根元部分と共に仕切り８の上端部を重ね合わせて嵌め込んでおくという構造を採用することができる。
【図面の簡単な説明】
【００１８】
【図１】本考案の実施形態に係る和装バッグの概略斜視図である。
【図２】和装バッグのカバーを開いた状態の概略斜視図である。
【図３】和装バッグの開き口を開いた状態の概略斜視図である。
【図４】仕切りを有する和装バッグのカバーを開いた状態の概略斜視図である。
【図５】仕切りの取付構造を例示した断面図である。
【符号の説明】
【００１９】
１  バッグ本体
３  開き口
５  フック
６ａ，６ｂ  手提げ用の把手
７  カバー
８  仕切り
１０  一方側バッグ要素
１１，５１  肩部
２１  開口
５０  他方側バッグ要素
Ｓ  補助室
【図１】
0003110105.tif 000003
【図２】
0003110105.tif 000004
【図３】
0003110105.tif 000005
【図４】
0003110105.tif 000006
【図５】
0003110105.tif 000007